(57)【特許請求の範囲】
【請求項１】
第１の層と第２の層とを含むレンズ囲いと、
前記レンズ囲い内に配置された前電極と、
前記レンズ囲い内に配置された後電極と、
前記レンズ囲いの中心領域にわたって配置された遠近調節アクチュエータ要素であって、前記遠近調節アクチュエータ要素が前記中心領域内で前記前電極を前記後電極から分離し、前記第１の層の一部が前記第２の層の一部に物理的に接触するピンチオフ領域が前記中心領域の周囲を画成する遠近調節アクチュエータ要素と、
前記ピンチオフ領域の少なくとも一部の周りで延びる前記レンズ囲いの周辺領域で前記第１の層と前記第２の層との間に配置された基板と
を備え、
前記前電極が、前主本体部分と、前記前主本体部分から前記ピンチオフ領域を通って延びて前記基板上の前接触パッドに接触する前接続タブとを含み、
前記後電極が、後主本体部分と、前記後主本体部分から前記ピンチオフ領域を通って延びて前記基板上の後接触パッドに接触する後接続タブとを含み、
前記前接続タブと前記後接続タブとが互いに回転してずれる、眼球装着可能デバイス（ＥＭＤ）。
【請求項２】
前記遠近調節アクチュエータ要素が、前記中心領域内で前記前電極を前記後電極から分離する液晶層を含む、請求項１に記載のＥＭＤ。
【請求項３】
前記第１の層および前記第２の層が、可撓性コンタクトレンズ材料を含む、請求項１に記載のＥＭＤ。
【請求項４】
前記基板上に配置されて、前記前電極および前記後電極にわたって電圧を印加することにより前記遠近調節アクチュエータを動作させるコントローラをさらに備える、請求項１に記載のＥＭＤ。
【請求項５】
前記遠近調節アクチュエータ要素の一部が、前記ピンチオフ領域と前記前主本体部分および前記後主本体部分の少なくとも一方との間に配置される、請求項１に記載のＥＭＤ。
【請求項６】
前記第１の層の前記凹側が前記中心部分に凹部を形成する、請求項１に記載のＥＭＤ。
【請求項７】
前記第２の層の前記凸側が前記中心部分に凹部を形成する、請求項１に記載のＥＭＤ。
【請求項８】
前記遠近調節アクチュエータ要素が、
液晶層と、
前記液晶層および前記前電極の間に配置され、前記前電極の部位よりも大きい前記中心領域の部位にわたって延びる前配向層と、
前記液晶層および前記後電極の間に配置され、前記後電極の部位よりも大きい前記中心領域の部位にわたって延びる後配向層とを備える、請求項１に記載のＥＭＤ。
【請求項９】
前記第１の層と前記第２の層とが、前記ピンチオフ領域に向かう方向へ延びる、前記中心部分のテーパを形成する、請求項１に記載のＥＭＤ。
【請求項１０】
前記第１の層と前記第２の層とが、前記ピンチオフ領域に向かう方向へ延びる、前記周辺領域のテーパを形成する、請求項１に記載のＥＭＤ。
【請求項１１】
前記第１の層および前記第２の層のそれぞれの縁部が、前記周辺領域の周りで共に封止される、請求項１に記載のＥＭＤ。
【請求項１２】
レンズ囲いを有するコンタクトレンズを作製する方法であって、
前主本体部分と、前記前主本体部分から延びる前接続タブとを含む前電極を形成することおよび第１の液体導体材料を囲い材料の前層の凹面上に堆積させることを含む、前電極を前記前層上に形成することと、
前主本体部分と、前記前主本体部分から延びる前接続タブとを含む後電極を形成することおよび第２の液体導体材料を囲い材料の後層の凸面上に堆積させることを含む、後電極を前記後層上に形成することと、
遠近調節アクチュエータ構造を前記前層と前記後層との間に配置することと、
集積回路が上に配置される基板を、前記凹面と前記凸面との間に位置決めすることと、
前記前電極および後電極、前記遠近調節アクチュエータ構造および前記基板を前記レンズ囲い内に入れるために、前記前層を前記後層に封止することであって、前記前層の一部が前記後層の一部に物理的に接触するピンチオフ領域を形成することを含む、封止することとを含み、
前記ピンチオフ領域が前記レンズ囲いの中心領域の周囲を画成し、前記遠近調節アクチュエータ構造が、前記中心領域内で前記前電極を前記後電極から分離し、前記基板が、前記ピンチオフ領域の少なくとも一部の周りに延びる前記レンズ囲いの周辺領域で前記前層と前記後層との間に配置され、前記前電極の前記前接続タブは前記前主本体部分から前記ピンチオフ領域を通って延びて前記基板上の前接触パッドに重なり、前記後電極の前記後接続タブは前記後主本体部分から前記ピンチオフ領域を通って延びて前記基板上の後接触パッドに重なり、前記前接続タブと前記後接続タブとが互いに回転してずれる、方法。
【発明の詳細な説明】
【技術分野】
【０００１】
関連出願の相互参照
[0001]  本出願は、３５Ｕ．Ｓ．Ｃ．§１１９（ｅ）の規定の下、参照により本明細書に組み込まれている、２０１４年６月１３日に提出された米国仮出願第６２／０１２，００５号、２０１４年６月１３日に提出された米国仮出願第６２／０１２，０１７号、および２０１４年６月１３日に提出された米国仮出願第６２／０１２，０３３号の優先権を主張する。
【０００２】
[0002]  本開示は、一般に光学の分野に関し、特に、限定されないがコンタクトレンズに関する。
【背景技術】
【０００３】
[0003]  遠近調節は、眼がその焦点距離を調節して、距離が変化する物体に焦点を維持するプロセスである。遠近調節は反射作用であるが、意識的に操ることができる。遠近調節は、毛様体筋の収縮により制御される。毛様体筋は、眼の弾性水晶体を取り囲み、弾性水晶体の焦点を変化させる筋肉収縮の間に弾性水晶体に力を加える。
【０００４】
[0004]  人の年齢と共に、毛様体筋の効果が低下する。老眼は、加齢に伴って眼の遠近調節力または焦点調節力が進行して損なわれることであり、これにより、近距離がぼやけて見えることが増える。この年齢に伴う遠近調節力の低下については、十分に研究されており、比較的安定し、予測可能である。現在、世界中で約１７億人（米国のみで１億１千万人）が老眼を患っており、この数は世界の年齢別人口と共に実質的に増加すると予想される。人々が老眼の作用を埋め合わせるのを助けることのできる技法およびデバイスが、ますます必要になっている。
【発明の概要】
【０００５】
[0005]  添付図面において、本発明の様々な実施形態について、限定ではなく例として説明する。
【図面の簡単な説明】
【０００６】
【図１】[0006]実施形態による、自動遠近調節を行う眼球装着可能デバイスと、眼球装着可能デバイスと相互作用する外部リーダとの機能ブロック図である。
【図２Ａ】[0007]実施形態による、眼球装着可能デバイスの上面図である。
【図２Ｂ】[0008]実施形態による、眼球装着可能デバイスの斜視図である。
【図３】[0009]実施形態による、眼球装着可能デバイスの様々な部品および層を示す分解斜視図である。
【図４】[0010]実施形態による、液晶遠近調節アクチュエータを有する眼球装着可能デバイスを作製するためのプロセスを示すフローチャートである。
【図５】[0011]実施形態による、眼球装着可能デバイスを作製するためのプロセスの横断面図である。
【図６】[0012]各々対応する実施形態による、それぞれの眼球装着可能デバイスの横断面図である。
【図７Ａ】[0013]実施形態による、眼球装着可能デバイス内の、液晶層に対する導電性電極の構成を示す図である。
【図７Ｂ】実施形態による、眼球装着可能デバイス内の、液晶層に対する導電性電極の構成を示す図である。
【図７Ｃ】実施形態による、眼球装着可能デバイス内の、液晶層に対する導電性電極の構成を示す図である。
【図８】[0014]実施形態による、眼球装着可能デバイス内の、リング基板と導電性電極との接続を示す外形図である。
【発明を実施するための形態】
【０００７】
[0015]  遠近調節アクチュエータを備える眼球装着可能デバイス（または「EMD」）を作製するシステム、装置、および方法の実施形態について、本明細書で説明する。以下の説明において、実施形態の完全な理解をもたらすために多くの特定の詳細について述べる。しかしながら、当業者は、本明細書に記載の技法を、特定の詳細の１つまたは複数を含まずに、または他の方法、部品、材料などを含んで実施してもよいことを理解するであろう。他の例では、ある態様が不明瞭になることを避けるために、周知の構造、材料、または動作を図示せず、または詳細に説明しない。
【０００８】
[0016]  本明細書全体を通して「一実施形態」または「実施形態」への言及は、実施形態に関連して説明される特定の機能、構造、または特徴が、本発明の少なくとも１つの実施形態に含まれることを意味する。したがって、本明細書全体を通して様々な箇所に現れる「一実施形態において」または「実施形態において」という言い回しは、必ずしもすべて同じ実施形態を指すものではない。さらに、特定の機能、構造、または特徴を、１つまたは複数の実施形態において適切に組み合わせてもよい。
【０００９】
[0017]  コンタクトレンズの焦点距離を調節するための遠近調節アクチュエータを含む電気的に起動されるレンズを備える、スマートコンタクトレンズまたは他の眼球装着可能デバイスについて本明細書で説明する。一部の実施形態において、遠近調節は、ユーザの注視方向に基づいてリアルタイムで自動調節される。遠近調節アクチュエータは、スマートコンタクトレンズの中心領域（例えば、少なくとも中心視覚を覆う）に配置される。このようにして、構造および／または作製プロセスが、例えば、遠近調節アクチュエータの動作を支持することになっている電極および／または他の回路に対する遠近調節アクチュエータの位置決めを支援することが望ましい。
【００１０】
[0018]  遠近調節アクチュエータは、液晶（LC）材料の層により実施され、遠近調節アクチュエータを電子制御するための電極を必要とし得る。したがって、例えば、ＥＭＤの電極間または液晶と制御回路との間に、電気的、構造的および／または他の絶縁を設ける必要がある。本開示の実施形態は、例えば、他のレンズ構造とは別に遠近調節アクチュエータを作製することに関連する欠点を軽減する。ある実施形態により、遠近調節アクチュエータ（例えば、LC材料および隣接する層またはポリイミドまたは他の配向材料を含む）を、連続する加工工程によって囲い層上に様々に構築することができ、この囲い層は、例えば、レンズ囲いの外側の少なくとも一部を形成することになっている。その後、そのような囲い層を別の囲い層に封止してレンズ囲いを形成することができ、遠近調節アクチュエータは、レンズ囲いのピンチオフ領域により囲まれ、封止される。
【００１１】
[0019]  眼球装着可能デバイスの実施形態は、眼に接触装着されるように形成されたレンズ囲い（例えば、角膜に着脱可能に装着されて眼瞼の動きを開閉できるように形成される）内にすべて埋め込まれた、電源、制御電子機器、遠近調節アクチュエータ、注視方向センサシステム、およびアンテナを備えてもよい。一実施形態において、制御電子機器は、センサシステムをモニタして、注視方向／焦点距離を特定し、遠近調節アクチュエータを操作して、眼球装着可能デバイスの屈折力を制御し、外部リーダとの無線通信を行うように連結される。一部の実施形態において、電源は、埋め込まれたバッテリの誘導無線充電を制御するための充電回路を備えてもよい。
【００１２】
[0020]  レンズ囲いは、ポリマー材料、ヒドロゲル、ＰＭＭＡ、シリコーンベースのポリマー（例えば、フルオロシリコンアクリレート）その他など、人の眼に直接接触するのに適合した様々な材料から作製することができる。電子機器は、その周辺近くのレンズ囲い内に埋め込まれた、例えばリング形状を有する基板上に配置されて、角膜の中心領域近くで受けられる入射光との干渉を避けることができる。センサシステムは、眼瞼に向かって外側に向くように基板上に配置されて、センサシステム上で眼瞼が覆う量および位置に基づいて注視方向／焦点距離を検出する。眼瞼がセンサシステムの異なる部分を覆うと、これにより特徴（例えば、その静電容量）が変化し、これを測定して注視方向および／または焦点距離を判定することができる。
【００１３】
[0021]  一部の実施形態において、その後、注視方向／焦点距離情報を使用して、レンズ囲いの中心部に位置決めされた透明の遠近調節アクチュエータを介して施される遠近調節の量を判定することができる。遠近調節アクチュエータは、コントローラに連結されて、対の電極にわたって電圧を加えることにより、電気的に操作される。例えば、遠近調節アクチュエータを、電極にわたって印加された電気バイアス信号に応答してその屈折率を変化させるＬＣセルにより実施してもよい。他の実施形態において、遠近調節アクチュエータを、印加された電界または変形可能なレンズの形状を変化させる電気機械構造の存在下で屈折率を変化させる、電気光学材料などの他のタイプの電気活性材料を使用して実施してもよい。遠近調節アクチュエータを実施するために使用可能な他の構造例としては、エレクトロウェッティング光学素子、マイクロ電気機械システムその他が挙げられる。
【００１４】
[0022]  本明細書で、デバイスの光学強度（例えば、特定の焦点長さに対応する）を容量式注視追跡機構に基づいて変化させることのできる、ＬＣ層を含む遠近調節アクチュエータを備える可撓性の眼球装着可能な遠近調節レンズデバイスの文脈において、様々な実施形態の特徴について説明する。しかしながら、加えてまたはあるいは、ユーザの眼の中または上で動作可能な様々な他の遠近調節光学デバイスのいずれかに当てはまるように、そのような説明を拡張してもよい。例えば、ある実施形態は、眼球装着可能デバイスおよび／または遠近調節アクチュエータがデバイスの光学強度を変化させる特定の機構（例えば、LC要素その他）の特定の可撓性／剛性に関して限定されない。さらに、一部の実施形態は、容量式注視追跡に限定されず、他の技法の光検出器注視追跡を使用して、光学強度の変化が生じるかどうかを判定してもよい。
【００１５】
[0023]  図１は、本開示の実施形態による、自動遠近調節の注視追跡を含む眼球装着可能デバイス（EMD）１００と、外部リーダ１０５との機能ブロック図である。ＥＭＤ１００の露出部分は、眼の角膜表面に接触装着されるように形成された可撓性レンズ囲い１１０である。基板１１５が可撓性レンズ囲い１１０内に埋め込まれ、または可撓性レンズ囲い１１０に囲まれて、電源１２０、コントローラ１２５、センサシステム１３５、アンテナ１４０、および様々な相互接続部１４５、１５０のための装着面を提供する。遠近調節アクチュエータ１３０が、可撓性レンズ囲い１１０内に埋め込まれ、コントローラ１２５に連結されて、ＥＭＤ１００の着用者に自動遠近調節をもたらす。電源１２０の例示した実施形態は、エネルギーハーベスティングアンテナ１５５、充電回路１６０、およびバッテリ１６５を備える。コントローラ１２５の例示した実施形態は、制御論理１７０、遠近調節論理１７５、および通信論理１８０を備える。リーダ１０５の例示した実施形態は、プロセッサ１８２、アンテナ１８４、およびメモリ１８６を備える。
【００１６】
[0024]  コントローラ１２５は、センサシステム１３５からのフィードバック制御信号を受信するように連結され、遠近調節アクチュエータ１３０を動作させるようにさらに連結される。電源１２０は、動作電圧をコントローラ１２５および／または遠近調節アクチュエータ１３０に供給する。アンテナ１４０は、コントローラ１２５により動作されて、ＥＭＤ１００へおよび／またはＥＭＤ１００から情報を通信する。一実施形態において、アンテナ１４０、コントローラ１２５、電源１２０、およびセンサシステム１３５はすべて、埋め込まれた基板１１５上に位置する。一実施形態において、遠近調節アクチュエータ１３０は、可撓性レンズ囲い１１０の中心領域内に埋め込まれるが、基板１１５上には配置されない。ＥＭＤ１００は、電子機器を備え、眼に接触装着されるように構成されるため、本明細書では、眼科用電子機器プラットフォーム、コンタクトレンズ、またはスマートコンタクトレンズとも呼ばれる。
【００１７】
[0025]  接触装着を容易にするために、可撓性レンズ囲い１１０は、（例えば、角膜表面を覆う涙液膜による毛管力によって）湿った角膜表面に付着する（「装着される」）ように構成された凹面を有してもよい。加えてまたはあるいは、凹状湾曲による角膜表面と可撓性レンズ囲い１１０との間の真空力によって、ＥＭＤ１００を付着させてもよい。凹面により眼に装着されるが、可撓性レンズ囲い１１０の外向き面は、ＥＭＤ１００が眼に装着されている間の眼瞼の動きに干渉しないように形成された凸状湾曲を有してもよい。例えば、可撓性レンズ囲い１１０は、コンタクトレンズと同様に形成された略透明な湾曲した円板であってもよい。
【００１８】
[0026]  可撓性レンズ囲い１１０は、角膜表面との直接の接触を伴うコンタクトレンズまたは他の眼科用途で使用するために採用されるものなどの１つまたは複数の生体適合性材料を含んでよい。可撓性レンズ囲い１１０は、任意選択により、そのような生体適合性材料から部分的に形成されてもよく、または、そのような生体適合性材料による外側コーティングを含んでもよい。可撓性レンズ囲い１１０は、ヒドロゲルなどの、角膜表面を湿らせるように構成された材料を含んでもよい。可撓性レンズ囲い１１０は、着用者の快適性を高めるための変形可能（「軟質」）材料である。一部の例では、可撓性レンズ囲い１１０が、コンタクトレンズによって提供できるような所定の視力矯正屈折力をもたらすように形成されてもよい。可撓性レンズ囲い１１０は、ポリマー材料、ヒドロゲル、ＰＭＭＡ、シリコーンベースのポリマー（例えば、フルオロシリコンアクリレート）その他を含む様々な材料から作製することができる。
【００１９】
[0027]  基板１１５は、センサシステム１３５、コントローラ１２５、電源１２０、およびアンテナ１４０を装着するのに適した１つまたは複数の面を含む。基板１１５は、チップベース回路のための実装プラットフォーム（例えば、フリップチップ実装による）として、および／または導電性材料（例えば、金、白金、パラジウム、チタン、銅、アルミニウム、銀、金属、他の導電性材料、これらの組合せなど）をパターニングして電極、相互接続部、アンテナなどを作るためのプラットフォームとして採用することができる。一部の実施形態において、略透明な導電性材料（例えば、インジウムスズ酸化物、または以下で説明する可撓性導電性材料）を基板１１５上にパターニングして、回路、電極などを形成してもよい。例えば、金または別の導電性材料のパターンを基板１１５上に堆積させることによって、アンテナ１４０を形成してもよい。同様に、導電性材料の適切なパターンを基板１１５上に堆積させることによって、相互接続部１４５、１５０を形成してもよい。レジスト、マスク、および堆積技法の組合せを採用して、材料を基板１１５上にパターニングしてもよい。基板１１５は、ポリエチレンテレフタレート（「PET」）、または囲い材料１１０内の回路および／または電子機器を構造的に支持するのに十分な別の材料などの比較的剛性の材料であってよい。あるいは、ＥＭＤ１００は、単一の基板ではなく、接続されない一群の基板を有して配置されてもよい。例えば、コントローラ１２５および電源１２０が１つの基板に実装され、アンテナ１４０およびセンサシステム１３５が別の基板に実装され、２つの基板が相互接続部を介して電気的に接続されていてもよい。
【００２０】
[0028]  ある実施形態はこれに限定されないが、基板１１５は、埋め込まれた電子機器部品の実装プラットフォームを提供するのに十分な半径方向幅寸法を有する平坦なリングとして形成されてもよい。基板１１５の厚さは、ＥＭＤ１００の外形に悪影響を及ぼすことなく、基板を可撓性レンズ囲い１１０に埋め込むことができるように十分に薄いものであってよい。基板１１５の厚さは、その上に実装される電子機器を支持するのに適した構造的安定性をもたらすのに十分に厚いものであってよい。例えば、基板１１５は、直径約１０ミリメートル、半径方向幅約１ミリメートル（例えば、外径が内径よりも１ミリメートル大きい）、および厚さ約５０マイクロメートルのリングとして形成されてもよい。基板１１５は、任意選択により、ＥＭＤ１００の眼球装着面（例えば、凸面）の湾曲に整合されてもよい。例えば、基板１１５は、内径および外径を画成する２つの円形セグメント間の仮想の円錐の表面に沿って形成されてもよい。そのような例では、仮想の円錐の表面に沿った基板１１５の表面が、その半径における眼球装着面の湾曲と略整合される傾斜面を画成する。
【００２１】
[0029]  一部の実施形態において、電源１２０およびコントローラ１２５（および基板１１５）は、ＥＭＤ１００の中心から離れて位置決めされることにより、ＥＭＤ１１０の中心を通る眼への光の透過との干渉を避けることができる。逆に、遠近調節アクチュエータ１３０は、中心に位置決めされて、囲い材料１１０の中心を通る眼への光の透過に対して光学遠近調節を施すことができる。例えば、ＥＭＤ１００が凹状に湾曲した円板として形成される場合、基板１１５を円板の周辺（例えば、外周近く）に沿って埋め込んでもよい。一部の実施形態において、センサシステム１３５は、眼瞼の重なりを検知するために周辺に分散された１つまたは複数の個々の静電容量センサを備える。
【００２２】
[0030]  例示した実施形態において、電源１２０は、コントローラ１２５を含む様々な埋め込まれた電子機器に電力供給するためのバッテリ１６５を備える。バッテリ１６５は、充電回路１６０およびエネルギーハーベスティングアンテナ１５５により誘導的に充電されてよい。一実施形態において、アンテナ１４０とエネルギーハーベスティングアンテナ１５５とは独立したアンテナであり、エネルギーハーベスティングおよび通信というそれぞれの機能を果たす。別の実施形態において、エネルギーハーベスティングアンテナ１５５とアンテナ１４０とは同一の物理的アンテナであり、誘導充電およびリーダ１０５との無線通信というそれぞれの機能を時分割する。充電回路１６０は、バッテリ１６５を充電するために取り込まれたエネルギーを調整するための、またはバッテリ１６５なしでコントローラ１２５に直接電力供給するための整流器／調整器を備えてもよい。充電回路１６０はまた、１つまたは複数のエネルギー貯蔵デバイスを含んで、エネルギーハーベスティングアンテナ１５５内の高周波数変動を軽減してもよい。例えば、１つまたは複数のエネルギー貯蔵デバイス（例えば、キャパシタ、インダクタなど）を、ローパスフィルタとして機能するように接続してもよい。
【００２３】
[0031]  コントローラ１２５は、他の埋め込まれた部品の動作を演出する論理を含む。制御論理１７０は、論理ユーザインタフェース、電力制御機能などを設けることを含む、ＥＭＤ１００の全般的な動作を制御する。遠近調節論理１７５は、センサシステム１３５からのフィードバック信号をモニタし、ユーザの現在の注視方向または焦点距離を判定し、対応して遠近調節アクチュエータ１３０を操作して適切な遠近調節をもたらすための論理を含む。自動遠近調節は、注視追跡からのフィードバックに基づいてリアルタイムで実施してもよく、ユーザ制御により特定の遠近調節法（例えば、読書のための近視野調節、通常の活動のための遠視野調節など）を選択できるようにしてもよい。通信論理１８０は、アンテナ１４０を介してリーダ１０５と無線通信するための通信プロトコルを提供する。一実施形態において、通信論理１８０は、リーダ１０５から出力された電磁場１７１の存在下にあるときに、アンテナ１４０を介して後方散乱通信を行う。一実施形態において、通信論理１８０は、後方散乱無線通信のためにアンテナ１４０のインピーダンスを変調するスマート無線自動識別（「RFID」）タグとして動作する。コントローラ１２５の様々な論理モジュールを、汎用マイクロプロセッサで実行されるソフトウェア／ファームウェア、ハードウェア（例えば、特定用途向け集積回路）、または両方の組合せで実施してもよい。
【００２４】
[0032]  ＥＭＤ１００は、様々な他の埋め込まれた電子機器および論理モジュールを含んでもよい。例えば、ユーザに視覚フィードバックを与えるために、光源または画素配列が含まれていてもよい。位置、回転、方向、または加速度フィードバック情報をコントローラ１２５に与えるために、加速度計またはジャイロスコープが含まれていてもよい。
【００２５】
[0033]  図２Ａおよび図２Ｂは、本開示の実施形態によるＥＭＤ２００の２つの図である。図２ＡはＥＭＤ２００の上面図、図２ＢはＥＭＤ２００の斜視図である。ＥＭＤ２００は、図１に例示したＥＭＤ１００の１つの可能な実施である。ＥＭＤ２００の例示した実施形態は、可撓性レンズ囲い２１０、リング基板２１５、電源２２０、コントローラ２２５、遠近調節アクチュエータ２３０、容量式センサシステム２３５、およびアンテナ２４０を備える。図２Ａおよび図２Ｂは、必ずしも縮尺通りに描かれてはおらず、ＥＭＤ２００の例の配置を記載する際の説明の目的のみで例示されていることを理解されたい。
【００２６】
[0034]  ＥＭＤ２００の可撓性レンズ囲い２１０は、湾曲した円板として形成される。可撓性レンズ囲い２１０には、眼の角膜表面にフィットするのに適した凹面２１１を有する一側が形成される。円板の反対側は、ＥＭＤ２００が眼に装着されている間に眼瞼の動きに干渉しない凸面２１２を有する。例示した実施形態において、円形または長円形の外側縁部２１３が凹面２１１と凸面２１２とを接続する。
【００２７】
[0035]  ＥＭＤ２００は、直径約１センチメートル、厚さ約０．１〜約０．５ミリメートルなどの、視力矯正および／または美容コンタクトレンズと同様の寸法を有してよい。しかしながら、直径および厚さの値は、説明の目的のみで提示されたものである。一部の実施形態において、ＥＭＤ２００の寸法は、着用者の眼の角膜表面のサイズおよび／または形状に従って選択される。可撓性レンズ囲い２１０には、湾曲形状が様々な方法で形成されてよい。例えば、熱成形、射出成形、スピンキャスティングなどの、視力矯正コンタクトレンズを形成するために採用されるものと同様の技法を採用して、可撓性レンズ囲い２１０を形成してもよい。
【００２８】
[0036]  リング基板２１５が可撓性レンズ囲い２１０内に埋め込まれる。リング基板２１５は、遠近調節アクチュエータ２３０が位置決めされる中心領域から離れて、可撓性レンズ囲い２１０の外周に沿って位置するように埋め込まれてもよい。例示した実施形態において、リング基板２１５は遠近調節アクチュエータ２３０を取り囲む。リング基板２１５は視野に干渉しない。これは、リング基板２１５が、眼に近すぎて焦点が合わず、入射光が眼の光感知部分に透過される中心領域から離れて位置決めされるからである。一部の実施形態において、リング基板２１５を、任意選択により透明材料から形成して、視覚への影響をさらに軽減してもよい。リング基板２１５を、平坦な円形リング（例えば、中心孔を有する円板）として形成してもよい。リング基板２１５の平坦面（例えば、半径方向幅に沿った）は、電子機器を実装し、かつ導電性材料をパターニングして電極、アンテナ、および／または相互接続部を形成するためのプラットフォームである。
【００２９】
[0037]  容量式センサシステム２３５が、ＥＭＤ２００の周りに分散されて、容量式タッチスクリーンと同様の方法で眼瞼の重なりを検知する。眼瞼の重なりの量および位置をモニタすることによって、容量式センサシステム２３５からのフィードバック信号をコントローラ２２５により測定して、おおよその注視方向および／または焦点距離を判定することができる。例示した実施形態において、容量式センサシステム２３５が、一連の平行に連結された個々の容量式要素によって形成される。他の実施を使用してもよい。
【００３０】
[0038]  遠近調節アクチュエータ２３０は、可撓性レンズ囲い２１０内で中心に位置決めされて、ユーザの視野中心においてＥＭＤ２００の屈折力に影響を与える。ピンチオフ領域２３２を遠近調節アクチュエータ２３０とリング基板２１５との間に配置して、リング基板２１５の少なくとも一部の回路からの電気的絶縁をもたらしてもよい。様々な実施形態において、遠近調節アクチュエータ２３０は、コントローラ２２５により操作される可撓性の導電性電極の影響下で屈折率を変化させる要素を備える。屈折率を変化させることにより、ＥＭＤ２００の湾曲面の正味屈折力が変化して、制御可能な遠近調節を施す。遠近調節アクチュエータ２３０を、様々な異なる光電子工学要素を使用して実施してもよい。例えば、遠近調節アクチュエータ２３０を、可撓性レンズ囲い２１０の中心に配置された液晶の層（例えば、LCセル）を使用して実施してもよい。他の実施形態において、遠近調節アクチュエータ２３０を、印加された電界の存在下で屈折率を変化させる電気光学材料などの他のタイプの電気活性光学材料を使用して実施してもよい。遠近調節アクチュエータ２３０は、囲い材料２１０（例えば、LCセル）、または制御可能な屈折率を有するバルク材内に埋め込まれた別個のデバイスであってもよい。さらに別の実施形態において、遠近調節アクチュエータ２３０を、電気信号の影響下で形状を変化させる変形可能なレンズ構造を使用して実施してもよい。したがって、コントローラ２２５から遠近調節アクチュエータ２３０まで延びる１つまたは複数の電極を介して電気信号を加えることにより、ＥＭＤ２００の屈折力がコントローラ２２５によって制御される。
【００３１】
[0039]  図３は、本開示の実施形態による、ＥＭＤ３００を示す分解斜視図である。ＥＭＤ３００はＥＭＤ１００または２００の１つの可能な実施であるが、分解斜視図は様々な部品のさらなる詳細を示す。ＥＭＤ３００の例示した実施形態は、前層３０５および後層３１０を含む可撓性レンズ囲い、可撓性の前導電性電極（ANT）３１５、可撓性の後導電性電極（POST）３２０、液晶層３２５、リング基板３３０、電源３３５、コントローラ回路３４０、前接触パッド３４５、ならびに後接触パッド３５０（図３では見えない）を備える。ＡＮＴ３１５、ＬＣ層３２５、およびＰＯＳＴ３２０はまとめて、コントローラ回路３４０の影響下で操作される遠近調節アクチュエータを形成する。ＡＮＴ３１５の例示した実施形態は接続タブ３６０を備え、ＰＯＳＴ３２０の例示した実施形態は接続タブ３６５を備える。
【００３２】
[0040]  ＡＮＴ３１５およびＰＯＳＴ３２０は、電極にわたる電圧の印加によりＬＣ層３２５を電気的に操作する透明電極である。ＡＮＴ３１５およびＰＯＳＴ３２０は、折畳みおよび曲げを含む周期的な機械的応力の存在下でも導電性を実質的に維持する可撓性導体である。ＡＮＴ３１５およびＰＯＳＴ３２０は、前層３０５および後層３１０のそれぞれの湾曲面上で硬化され、したがってこの湾曲面に一致する液体導体材料から形成される。ＡＮＴ３１５およびＰＯＳＴ３２０は、様々な技法を使用して、前層３０５および後層３１０のそれぞれに施すことができる。例えば、導電性エポキシ、導電性ポリマー、導電性シリコン、蒸着金属または他の導電性材料を含む液体導体材料を、スプレーコーティング、型押し、シャドーマスク、またはその他の方法で配置して、電極構造を形成し、遠近調節アクチュエータを動作させてもよい。一実施形態において、液体導体材料は、一致する凹ステンシルを使用して前層３０５の内側凹面にスプレーコーティングされ、かつ一致する凸ステンシルを使用して後層３１０の内側凸面にスプレーコーティングされる。他の実施形態において、ステンシルを使用することなくスプレーコーティングを能動的に制御してもよく、または仮マスクを施した後にスプレーコーティングしてもよい。さらに他の実施形態において、一致する形状の表面を有する押し型上に液体導体材料がコーティングされ、その後、押し型が前層３０５または後層３１０に押し付けられて、液体導体材料を移す。他の塗布技法を使用して、ＡＮＴ３１５およびＰＯＳＴ３２０を前層３０５および後層３１０のそれぞれに形成し位置決めしてもよい。一実施形態において、ＡＮＴ３１５およびＰＯＳＴ３２０は、所望の総シート抵抗を得るように形成される。目標シート抵抗は、１００オーム／スクエア〜２０００スクエア（例えば、１９０オーム/スクエア）であってよい。勿論、この範囲外の他の目標シート抵抗を使用してもよい。
【００３３】
[0041]  ＬＣ層３２５は、ＥＭＤ３００の中心領域で前層３０５と後層３１０との間に配置されてよい。ＬＣ層３２５の形成は、スプレー、スピニング、マスキング、型押し、ステンシル刷り、および／または従来の作製技法から適応される他の動作を含んでよい。ＬＣ層３２５は、例えば、ポリ（３、４−エチレンジオキシチオフェン）：ポリ（スチレンスルホン酸塩）（もしくはPEDOT:PSS）または可変の屈折率特徴に備えた様々な他の液晶のいずれかを含んでよい。実施形態において、ＬＣ層３２５は、リング基板３２５の少なくとも一部の回路から電気的に絶縁される。加えてまたはあるいは、ＬＣ層３２５は、ＥＭＤ３００の中心領域でＡＮＴ３１５とＰＯＳＴ３２０との間に配置されてもよい。
【００３４】
[0042]  図４は、本開示の実施形態による、ＥＭＤ、例えば眼球装着可能デバイス１００、２００、または３００の１つを作製するためのプロセス４００を示すフローチャートである。プロセスブロックの一部または全部がプロセス４００に現れる順序は、限定するものと考えるべきではない。むしろ、本開示の恩恵を有する当業者は、プロセスブロックのいくつかを様々な順序（図示せず）で、またはさらには並列して実行してもよいことを理解するであろう。本明細書で、プロセス４００の特徴をＥＭＤ３００の作製に関して説明する。しかしながら、加えてまたはあるいは、本明細書に記載の特徴を有する様々な他のＥＭＤのいずれかの作成に当てはまるように、そのような説明を拡張してもよい。
【００３５】
[0043]  プロセスブロック４０５、４１０では、前層３０５および後層３１０がレンズ囲いの別々の層として形成される。前層３０５および後層３１０を、可撓性の透明材料でスプレーコーティングまたは射出された金型を使用して形成してもよい。可撓性の透明材料は、ポリマー材料、ヒドロゲル、ＰＭＭＡ、シリコーンベースのポリマー（例えば、フルオロシリコンアクリレート）その他のいずれかを含んでよい。
【００３６】
[0044]  前層３０５および／または後層３１０を処理して、ＡＮＴ３１５およびＰＯＳＴ３２０への結合を向上させるために反応面を形成してもよいが、ある実施形態はこれに関して限定されない。例えば、前層３０５および後層３１０の内面を化学的に反応させる高電離環境で、前層３０５および後層３１０をプラズマ処理してもよい。
【００３７】
[0045]  プロセスブロック４１５では、ＡＮＴ３１５およびＰＯＳＴ３２０を形成する導体材料が、前層３０５の凹面に堆積され、後層３１０の凸面に堆積される。一実施形態において、液体導体材料の堆積は、凹面および凸面に一致するステンシル上にスプレーコーティングされてもよい。さらに別の実施形態において、前層３０５および後層３１０のそれぞれの凹面および凸面に一致する湾曲面を有する押し型に、液体導電性材料を施す。その後、コーティングされた押し型を前層３０５および後層３１０の内面に押し付けて、インクパターンをその内面に移す。液体導体材料を施した後、例えば熱によりこれを硬化させ、および／または焼きなますことができる。
【００３８】
[0046]  導体材料は、導電性エポキシ（例えば、様々な導電性シリコーンのいずれか）、蒸着金属（金、アルミニウム）、導電性粒子（例えば、ナノチューブまたはナノワイヤ）のコロイド溶液などを含んでよい。導体材料の堆積は、限定されないが、１つまたは複数の金ワイヤ、銀ナノワイヤ、インジウムスズ酸化物薄膜などを含む様々な導電性構造のいずれかを形成することを含んでよい。一部の実施形態において、様々な溶媒（例えば、アルコール）、界面活性剤、または希釈剤を液体導体材料に添加して、前層３０５および後層３１０のそれぞれへのＡＮＴ３１５およびＰＯＳＴ３２０の均一なコーティングおよび付着を向上させてもよい。
【００３９】
[0047]  次に、電源３３５およびコントローラ回路３４０を備えるリング基板３３０が、前層３０５と後層３１０との間に位置決めされ、これは、例えば、後層３１０の凸面上への基板の位置決め（プロセスブロック４２０）を含む。４２０での位置決め前または位置決め中に、ＡＮＴ３１５およびＰＯＳＴ３２０の一方または両方へのリング基板３３０の電気的結合に備えて、導電性接着剤をリング基板３３０上の接触パッドに施してもよい。４２０での位置決めは、例えば、接続タブ３６０、３６５が互いに半径方向にずれる場合に、接続タブ３６０、３６５の各々をリング基板３３０のそれぞれの接触パッドに整合させることを含んでよい。
【００４０】
[0048]  プロセスブロック４２５では、遠近調節アクチュエータ構造が前層と後層との間に配置される。例えば、液晶材料を前層３０５の凹面の中心領域の周りに分配してもよく（例えば、中心領域の上に分配することを含む）、ＡＮＴ３１５を覆う。一実施形態において、ＬＣ材料は、ＬＣ層３２５がＡＮＴ３１５またはＰＯＳＴ３２０よりも大きい部位を覆うように、より大きい部位にわたって分配される。
【００４１】
[0049]  プロセスブロック４３０では、レンズ囲いの２つの半部（前層３０５および後層３１０）が、押し合わされ封止される。例えば、ある量の囲い材料を、ＬＣ材料の周囲に沿った領域で前層３０５と後層３１０との間に添加してもよい。前層と後層との間でこの材料が硬化することにより、ピンチオフ領域をＬＣ材料の周りに形成することができる。一実施形態において、接合した前層３０５および後層３１０の下縁部または縁により多くの囲い材料を添加して、封止を形成してもよい。この追加の囲い材料の硬化により、前層３０５と後層３１０との間の周辺領域で基板を封止することができる。最後に、眼球装着可能デバイスまたはスマートコンタクトレンズは、販売用に、封止されたレンズ溶液の容器内に包装される（プロセスブロック４３５）。
【００４２】
[0050]  方法４００について示す動作の特定の順序は、一部の実施形態に限定されないことを理解されたい。限定ではなく例示として、異なる実施形態により、遠近調節アクチュエータ、電極構造および／またはリング基板の一部または全部を、一方または両方のレンズ囲い層とのそのような部品の組立前に、別々の部品として様々に作製し、互いに組み合わせてもよい。
【００４３】
[0051]  図５は、実施形態による、眼球装着可能デバイスを作製するための加工の横断面詳細図である。図５に示す作製プロセスは、例えば、動作４００の特徴の一部または全部を含んでよい。詳細図５００は、金型５０２上での後層５０４（例えば、層３１０）の形成を示し、詳細図５１０は、金型５１２上での前層５１４（例えば、層３０５）の形成を示す。
【００４４】
[0052]  層５０４、５１０の一方または各々は、シリコーン、シリコーンヒドロゲル、ヒドロゲル、剛性のガス透過性（RGP）材料、剛性プラスチック（例えば、ポリカーボネート）、ポリメチルメタクリレート（PMMA）、重合アクリレートのうちの１つから構成されてもよい。一部の実施形態において、層５０４、５１０は可撓性であってよいが、ある実施形態はこれに関して限定されない。例示的な一実施形態において、層５０４、５１０の一方または各々は、直径１１〜１４ｍｍのサイズである。あるいはまたは加えて、層５０４、５１０の一方または各々は、厚さ２０ミクロン〜１５０ミクロン（例えば、２０ミクロン〜１００ミクロン）である。しかしながら、そのような寸法は、異なる実施形態において、実施の特定の詳細に従って変化してもよい。
【００４５】
[0053]  層５０４、５１４の形成は、例えば４０５、４１０での形成の特徴の一部または全部を含んでもよい。実施形態において、例えば、深さ０．１〜５０μｍの凹部（図示せず）が、前層５１４の凹側５３４、または後層５０４の凸側５２４の凹部に形成されて、遠近調節アクチュエータ要素のＬＣ層の形成を助ける。そのような凹部の形成は、２つの金型間で、層５０４、５１４の一方の囲い材料を押すことおよび硬化させることを含んでよい。
【００４６】
[0054]  詳細図５２０は、後層５０４の凸面５２４に堆積された可撓性電極５２２（例えば、電極３２０）を示し、詳細図５３０は、後層５１４の凹面５３４に堆積された可撓性電極５３２（例えば、電極３１５）を示す。電極５２２、５３２の一方または各々の形成は、導電性エポキシ（例えば、導電性シリコーン）、金属（例えば、金、アルミニウム、銀など）または他の導電性材料を、スプレー、型押し、シャドーマスク、蒸着、または他の方法で堆積させることを含んでよい。これにより得られる電極５２２、５３２は、金属ワイヤ、ナノワイヤ、インジウムスズ酸化物薄膜、または遠近調節アクチュエータを動作させるための他のそのような導電性構造を含んでよい。実施形態において、可撓性電極５２２、５３２の一方または各々は、厚さ１０ｎｍ〜１０ミクロン、直径２ｍｍ〜３ｍｍである。しかしながら、そのような厚さは、実施の特定の詳細に従って変化してもよい。一部の実施形態において、可撓性電極は、主本体部分と主本体部分から延びるタブ部分（図示せず）とを有し、主本体部分は、遠近調節アクチュエータのＬＣ層と整合され、タブ部分は、内部および／または上に集積回路が配置された基板からＬＣ層を分離するピンチオフ領域を通って延びることになっている。
【００４７】
[0055]  詳細図５４０は、例えば例示的な制御回路５４２およびアンテナ５４４を含むそのような基板（例えば、リング基板３３０）を後層５０４上に置く様子を示す。別の実施形態において、代わりに、基板を最初に表面５３４上に置いてもよい。詳細図５５０は、前層５１４の凹側へのＬＣ層５５４の堆積を示す。ＬＣ層５５４の堆積は、従来のシャドーマスク、型押しまたは他の作製技法から適応された動作を含んでもよい。実施形態において、遠近調節アクチュエータ構造（例えば、LC層）は、ピンチオフ領域と電極構造との間の１つまたは複数の導電性経路を妨害または限定する少なくとも一部の絶縁をもたらす絶縁層を含み、またはこれに隣接する。例えば、遠近調節アクチュエータの少なくとも部分的に誘電の配向層（図示せず）を、ＬＣ層５５４の反対側に配置してもよい。ＬＣ層５５４は、厚さ０．１μｍ〜５０μｍおよび／または直径４ｍｍ〜１０ｍｍであってよい。しかしながら、そのような寸法は例示的なものに過ぎず、ある実施形態に限定するものではない。
【００４８】
[0056]  詳細図５６０は、互いに整合させ接触させた、詳細図５４０、５５０のそれぞれの構造を示す。一部の実施形態において、表面５２４、５３４の一方または両方を、例えばプラズマにより前処理して、２つの間の付着を向上させてもよい。その後、層５０４、５１４を封止して可撓性囲いを形成し、遠近調節アクチュエータ５６２を可撓性囲いの中心領域内に位置させる。中心領域の周囲を、層５０４、５１４が互いに隣接する（例えば、物理的に接触する）ピンチオフ領域５６４により少なくとも部分的に画成してもよい。
【００４９】
[0057]  例えば、追加量のコンタクトレンズ材料、例えば、シリコーンエラストマー、シリコーンヒドロゲルなどを、ＬＣ層５５４の周りに配置して、層５０４、５１４の付着を助けてもよい。そのような追加の材料を（例えば、熱または紫外光により）硬化させることによって、ピンチオフ領域５６４が周りに配置される中心領域内に遠近調節アクチュエータを封止することができる。一部の実施形態において、コンタクトレンズ材料を層５０４、５１４の一方の周りの縁部領域に施してもよく、この追加の材料も硬化させて、ピンチオフ領域５６４と層５０４、５１４のそれぞれの縁部との間のレンズ囲いの領域でリング基板を封止する。
【００５０】
[0058]  電極５２２、５３２を、ピンチオフ領域５６４で互いに分離させてもよい。例えば、例示的な一実施形態において、導電層５２２、５３２は直径６ｍｍであり、ピンチオフ領域は直径７ｍｍであり、ピンチオフ領域５６４が周りに形成される中心領域で、ＬＣ層５５４が導電性層５２２、５３２を分離する。
【００５１】
[0059]  図６は、それぞれの実施形態による、各々の眼球装着可能デバイスの横断面詳細図６００、６５０である。例えば、詳細図６００は、前封入層６２０により封止されて可撓性レンズ囲いを形成する後封入層６１０を示す。可撓性レンズ囲いの中心領域は、中心領域の周囲の周りで延びるピンチオフ領域６２５により少なくとも部分的に画成される。ピンチオフ領域６２５は、遠近調節アクチュエータ６１５を中心領域内に保持するためのシールとして機能することができる。一部の実施形態において、周辺領域６３０がピンチオフ領域６２５の周辺に位置し、例えば、周辺領域６３０はピンチオフ領域６２５から封入層６１０、６２０のそれぞれの周囲縁部へ延びる。周辺領域６３０は、配置され硬化されて封入層６１０、６２０を互いに封止するのを助けるコンタクトレンズ材料を含んでよい。集積回路が上に配置された基板６３５を、周辺領域６３０内で封入層６１０、６２０の間に配置してもよい。
【００５２】
[0060]  詳細図６００では、凹部が前封入層６２０の凹面に形成されて、作製加工（例えば、方法４００による）中に遠近調節アクチュエータ６１５の位置決めを助ける。別の実施形態において、加えてまたはあるいは、封入層を変形させてピンチオフ領域の形成を助けてもよい。限定ではなく例示として、詳細図６５０は、前封入層６７０により封止されて可撓性レンズ囲いを形成する後封入層６６０を示し、遠近調節アクチュエータが、眼球装着可能デバイスの中心領域内で封入層６６０、６７０の間に配置される。封入層６６０、６７０のそれぞれの部分が互いに隣接して、中心領域の周囲を少なくとも部分的に画成するピンチオフ領域６８０を形成してもよい。領域６８０などのピンチオフ領域をレンズ材料の層により少なくとも部分的に形成してもよく、この層の厚さは、可撓性導体からＥＭＤの外面へ延びる。例えば、それぞれの可撓性導体からＥＭＤの異なるそれぞれの外側へ各々延びるレンズ材料の前層および後層によって、ピンチオフ領域を形成することができる。レンズ材料のそのような層の外面は、ピンチオフ領域上の部位で変形してもよい。詳細図６５０に例示したように、ピンチオフ領域６８０は、層６７０などの前封入層の他の凹面（例えば、後面）の平坦部分または凸部分によって少なくとも部分的に形成されてもよい。
【００５３】
[0061]  ピンチオフ領域６８０は、可撓性レンズ囲いの周辺領域で封入層６６０、６７０の間に配置された回路６８５（例えば、リング基板３３０の回路）から、ＬＣ層６６５を分離することができる。詳細図６５０に示すように、封入層６６０、６７０により形成された中心領域は、ピンチオフ領域６８０側へ延びる方向にテーパ状になっていてよい。あるいはまたは加えて、集積回路６８５を含む周辺領域が、ピンチオフ領域６８０側へ延びる方向にテーパ状になっていてもよい。
【００５４】
[0062]  遠近調節アクチュエータは、遠近調節アクチュエータ構造（例えば、液晶層）のそれぞれの部分と可撓性導体との間に配置された絶縁層を含んでよく、またはこれに隣接してもよい。例えば、遠近調節アクチュエータは、配向層６７４ａ、６７４ｂおよびＬＣ層６６５を含んでよい。配向層６７４ａ、６７４ｂの一方または各々は、厚さ１０ｎｍ〜１０ミクロンであってよいが、ある実施形態はこれに関して限定されない。可撓性の透明電極６７２ａ、６７２ｂ（例えば、電極３１５、３２０）は、遠近調節アクチュエータの反対側に配置されてもよく、例えば、配向層６７４ａ、６７４ｂが少なくともいくらかの絶縁をもたらして、ピンチオフ領域６８０と透明電極６７２ａ、６７２ｂとの間の１つまたは複数の導電性経路を妨害する。回路６８５の制御下で、電極６７２ａ、６７２ｂは、遠近調節アクチュエータにわたって電圧差を印加することがある。配向層６７２ａ、６７２ｂは、ポリイミドまたは他の適切な材料を含んで、液晶分子の配向を変化させ、ＬＣ層６６５の屈折率を変化させてもよい。一実施形態において、ＬＣ層６６５に電力供給されない状態によって、遠くを見ることが可能になる。例えば、液晶層にわたって印加される非ゼロ電圧により、眼球装着可能デバイスの焦点距離が短くなる（そのような電圧が印加されない眼球装着可能デバイスの焦点距離と比較して）。
【００５５】
[0063]  図７Ａ〜図７Ｃは、実施形態による、眼球装着可能デバイス７００内の可撓性の前導電性電極（ANT）７０５および可撓性の後導電性電極（POST）７３２の向きの例を示す。図７Ａは、前層７０５の凹面に形成されたＡＮＴ７０５を示し、図７Ｂは後層７１０の凸面に形成されたＰＯＳＴ７３２を示し、図７Ｃは、完全に組み立てられた眼球装着可能デバイス７００の平面図である。図８は、実施形態による、ＡＮＴ７１５の接続タブ７６０とＰＯＳＴ７３２の接続タブ７６５との電気接続部を形成するリング基板７３０の一部の外形図である。
【００５６】
[0064]  例示した実施形態において、ＡＮＴ７１５は、リング基板７３０の前側に配置された前接触パッド７４５に電気的に接続する接続タブ７６０を備える。これに対応して、ＰＯＳＴ７３２は、リング基板７３０の後側に配置された後接触パッド７５０に電気的に接続する接続タブ７６５を備える。図８は、導電性接着剤７８５を使用して接続タブ７６０、７６５と接触パッド７４５、７５０のそれぞれとの電気的な接続を向上させる様子を示す。銀添加エポキシ、シリコン、またはポリウレタンその他などの様々な異なる材料を使用して、導電性接着剤７８５を実施してもよい。導電性接着剤７８５は、眼球装着可能デバイス７００の様々な構成部品の異なる可撓性の特徴に関わらずスマートコンタクトレンズが曲げられ、または折り畳まれるときに電気接続を維持する、可撓性かつ導電性の付着を提供する。
【００５７】
[0065]  例示した実施形態において、接続タブ７６０、７６５は互いに対して回転してずれることにより、接触パッド７４５、７６５の一方または両方の貫通基板ビアのためのスペースを作る。例えば、例示した実施形態において、電源７３５およびコントローラ回路７４０は、リング基板７３０の前側に配置されるため、後接触パッド７５０は、貫通基板ビアを使用してコントローラ回路７４０に接続される。
【００５８】
[0066]  図７Ｃは、ＡＮＴ７１５とＰＯＳＴ７３２との間のＬＣ層の輪郭７１２をさらに示す。ＬＣ層は、ＡＮＴ７１５とＰＯＳＴ７３２とを互いに分離することができ、コントローラ回路７４０によってこれらの電極にわたって印加された電圧により作動され得る。例示した実施形態において、ＬＣ層は、中心領域のより大きい部分にわたって延びて、確実にＡＮＴ７１５とＰＯＳＴ７３２とが互いに短絡しないようにする。一実施形態において、透明絶縁層（例えば、ポリイミド）を各々さらに施して、ＡＮＴ７１５およびＰＯＳＴ７３２のそれぞれからＬＣ層を分離してもよく、他の実施形態において、ＡＮＴ７１５およびＰＯＳＴ７３２がＬＣ層との直接接触を形成してもよい。ＬＣ層７２０と、ＡＮＴ７１５およびＰＯＳＴ７３２の、例えば接続タブ７６０、７６５以外のそれぞれの部分が、リング基板７３０の内径内に含まれていてもよく、リング基板７３０の内縁部に接触していなくてもよい。一実施形態において、ＡＮＴ７１５およびＰＯＳＴ７３２は、直径約６ｍｍ、ＬＣ層７２５は直径約７ｍｍ、中心領域を画成するリング基板７３０の内縁部は直径９ｍｍである。勿論、他の寸法を実施してもよい。前層７０５および後層７１０は互いに接触して、輪郭７１２の直径とリング基板７３０の内縁部のより大きい直径との間にピンチオフ領域７２０を形成してもよい。ピンチオフ領域７２０は、リング基板７３０の少なくとも一部の回路に対する液晶層、ＡＮＴ７１５および／またはＰＯＳＴ７３２の短絡を様々に防止することができる。
【００５９】
[0067]  眼球装着可能デバイスにより自動遠近調節を提供するための技法および構成について本明細書で説明している。本明細書の詳細な説明のいくつかの部分は、コンピュータメモリ内のデータビットでの動作のアルゴリズムおよび記号表現に関して提示される。これらのアルゴリズムの説明および表現は、コンピュータ技術分野の当業者によって他の当業者にそれらの作業の要旨を最も効果的に伝えるために使用される手段である。ここでは、アルゴリズムは、概して、所望の結果をもたらす工程の自己矛盾のない順番列であると考えられる。その工程は、物理量の物理的操作を必要とするものである。通常、必ずではないが、これらの量は、記憶、転送、結合、比較、および他の方法で操作可能な電気または磁気信号の形をとる。ビット、値、要素、記号、文字、用語、数字などとしてこれらの信号を参照することは、主に共通使用の理由で、時に好都合であることが判明している。
【００６０】
[0068]  しかしながら、これらおよび同様の用語のすべては、適切な物理量に関連付けられることになり、これらの量に適用される単に便宜的なラベルであることに留意されたい。本明細書の記述から明らかなように別段の具体的な記述のない限り、本明細書を通して、「処理」または「演算」または「計算」または「判定」または「表示」などの用語を使用した記述は、コンピュータシステム、あるいは、そのコンピュータシステムのレジスタおよびメモリ内の物理（電子）量として表されたデータを操作し、コンピュータシステムメモリまたはレジスタまたは他のそのような情報記憶、送信または表示デバイス内の物理量として同様に表される他のデータに変形する同様の電子計算デバイスの動作およびプロセスを指すことが理解される。
【００６１】
[0069]  ある実施形態はまた、本明細書の動作を実行するための装置に関する。この装置は、要求される目的のために特に構築することができ、または、この装置は、そのコンピュータに記憶されたコンピュータプログラムによって選択的に起動され、もしくは再構成される汎用コンピュータを備え得る。そのようなコンピュータプログラムは、限定されないが、フロッピディスク、光ディスク、ＣＤ−ＲＯＭ、および磁気−光ディスクを含む任意のタイプのディスク、読取り専用メモリ（ROM）、ダイナミックＲＡＭ（DRAM）などのランダムアクセスメモリ（RAM）、ＥＰＲＯＭ、ＥＥＰＲＯＭ、磁気もしくは光カード、または、電子命令を記憶するのに適した、およびコンピュータシステムバスに結合された任意のタイプの媒体などのコンピュータ可読記憶媒体内に記憶され得る。
【００６２】
[0070]  本明細書で提示されるアルゴリズムおよび表示は、特定のコンピュータまたは他の装置に本質的に関連しない。様々な汎用システムが、本明細書の教示に従ってプログラムと共に使用可能であり、あるいは、要求される方法工程を実行するためのより専門の装置を構築することが好都合であると証明され得る。様々なこれらのシステムの要求される構造が、本明細書の説明から明らかになろう。加えて、ある実施形態は、特定のプログラミング言語を参照して説明されない。様々なプログラミング言語が、本明細書に記載されるそのような実施形態の教示を実施するために使用され得ることが理解されよう。
【００６３】
[0071]  本明細書の説明に加えて、開示された実施形態およびその実施に、それらの範囲を逸脱することなく様々な修正を行ってもよい。したがって、本明細書の説明および例は、例示的なものと解釈すべきであり、限定的な意味で解釈すべきではない。本発明の範囲は、以下の特許請求の範囲を参照することによってのみ判断すべきである。
【図１】
0006395861.tif 000002
【図２Ａ】
0006395861.tif 000003
【図２Ｂ】
0006395861.tif 000004
【図３】
0006395861.tif 000005
【図４】
0006395861.tif 000006
【図５】
0006395861.tif 000007
【図６】
0006395861.tif 000008
【図７Ａ】
0006395861.tif 000009
【図７Ｂ】
0006395861.tif 000010
【図７Ｃ】
0006395861.tif 000011
【図８】
0006395861.tif 000012